(57)【特許請求の範囲】
【請求項１】
前面が開口する収納家具本体の左右側の少なくとも一方に設けられる側板と該側板の外側に設けた外カバーとで構成した収納空間に、前記開口を開閉する扉を収納可能とした収納家具において、
前記側板と外カバーとの間に、前記収納空間内を前後方向に移動する扉の出入りを誘導案内すると共に、扉を回動可能に支持する第１ガイドローラが前記側板の前端部側に取付けられており、この第１ガイドローラを回転中心とする扉の回転時に、扉の後端部の回動を許容するように外カバーの前端面が前記側板の前端部より後方に位置し、かつ前記開口が扉により閉塞された状態において、前記外カバーの外側端と前記扉の外端とが正面視ほぼ同一線上に位置するように設けられていることを特徴とする収納家具。
【請求項２】
前記扉を回転自在に軸着した扉支持部材が、前記収納空間内を前後方向に移動可能に設けられており、少なくとも前記開口が扉により閉塞された時に、前記扉支持部材により収納空間の前方部を閉塞する請求項１に記載の収納家具。
【請求項３】
前記扉の後端部と収納空間後部所定箇所とが、２つのリンクが互いにＸ字状に交差するように、かつ軸を介して回転可能に連結されたＸ型リンクにより連結されている請求項１または２のいずれかに記載の収納家具。
【発明の詳細な説明】
【０００１】
【発明の属する技術分野】
本発明は、収納家具に係わり、特に扉が収納家具本体に形成された収納空間内に収納可能に設けられた収納家具に関する。
【０００２】
【従来の技術】
従来、前面が開口する収納家具本体の左右両側のうち少なくとも一方に設けられた収納空間内に、前記開口を開閉可能とする扉を収納可能に設けた収納家具においては、前記収納空間内への収納時における扉の傾き防止用のリンク等の機構部が、安全上の配慮から前記収納家具本体内に設けられる収納空間に収納されることが多かった。
【０００３】
【発明が解決しようとする課題】
しかしながら、このような収納家具においては、扉の閉塞状態において前記収納空間の外側を覆う外側板が扉の外端部より外側に位置するものが多く、このような構造にすると、該外側板の前端面が収納家具の前面に露呈されて、見栄えが悪いといった問題があった。
【０００４】
本発明は、上記のような問題点に着目してなされたもので、特に収納家具前面からの見栄えが良い収納家具を提供することを目的としている。
【０００５】
【課題を解決するための手段】
上記目的を達成するために、本発明の収納家具は、前面が開口する収納家具本体の左右側の少なくとも一方に設けられる側板と該側板の外側に設けた外カバーとで構成した収納空間に、前記開口を開閉する扉を収納可能とした収納家具において、前記側板と外カバーとの間に、前記収納空間内を前後方向に移動する扉の出入りを誘導案内すると共に、扉を回動可能に支持する第１ガイドローラが前記側板の前端部側に取付けられており、この第１ガイドローラを回転中心とする扉の回転時に、扉の後端部の回動を許容するように外カバーの前端面が前記側板の前端部より後方に位置し、かつ前記開口が扉により閉塞された状態において、前記外カバーの外側端と前記扉の外端とが正面視ほぼ同一線上に位置するように設けられていることを特徴としている。
この特徴によると、扉を回動可能に支持する第１ガイドローラが扉の出入りを誘導案内しているため、一つの部材で２つの機能を果たすことができ、開口を開閉するために扉が回転するときに、扉の後端部が外カバーの先端面と当接せず、開口が扉により閉塞された状態においては、外カバーの外側端と扉の外端とが正面視ほぼ同一線上に位置することができるので、複数の収納家具を連続して配設した場合でも、正面のつらに形成される凹凸を無くすことができ、収納家具の前面からの見栄えを向上できる。
【０００７】
本発明の収納家具は、前記扉を回転自在に軸着した扉支持部材が、前記収納空間内を前後方向に移動可能に設けられており、少なくとも前記開口が扉により閉塞された時に、前記扉支持部材により収納空間の前方部を閉塞することが好ましい。
このようにすれば、扉の閉塞状態における収納家具側方からの見栄えが向上するとともに、扉の開口閉塞時や収納時において収納空間の前方部が常に扉もしくは扉支持部材により閉塞されるため、外カバーの外側端側から収納空間内に物や身体が挟まれることがなく、安全である。
【０００８】
本発明の収納家具は、前記扉の後端部と収納空間後部所定箇所とが、２つのリンクが互いにＸ字状に交差するように、かつ軸を介して回転可能に連結されたＸ型リンクにより連結されていることが好ましい。
このようにすれば、Ｘ型リンクにより扉が前後に傾くことなく、かつ前方または後方に向かって付勢されるため、収納移動操作がよりスムーズに行われる。
【０００９】
【発明の実施の形態】
以下、本発明の実施形態を図面に基づいて説明すると、まず図１における１は本発明の実施例としての収納家具であり、この収納家具１は、天板２、底板３、左右の側板６、６、背面板（図示略）とから前面が開口する筺型に形成されてなり、さらに天板２及び底板３の左右両端には、レール部材３０、３０’がそれぞれ上下に固着され、側板６のさらに外側に外カバー４、４が着脱自在に設けられている。５は収納家具１の前面開口を開閉可能な扉であり、左右の側板６、６と、それらの外側にそれぞれ所定距離離間して設けられる外カバー４、４と、レール部材３０、３０’とから構成される戸袋の収納空間Ｓ内に収納可能に設けられている。
【００１０】
図２〜５に示されるように、上方のレール部材３０の裏面（図２図示略）及び下方のレール部材３０’の上面には、それぞれ後述する扉５、及び移動支柱１０のガイドローラ８、９をガイドするガイド溝７が前後方向を向くように形成されている。
【００１１】
このレール部材３０、３０’におけるガイド溝７の外側には、図２に示されるようにビス３１挿通用の孔部３２を有する垂直方向を向く取付面３０ａ、３０ａ’がそれぞれ形成されている。この取付面３０ａ、３０ａ’に外カバー４の上下端部内面を当接させた状態で、外カバー４に形成された孔部３３及び取付面３０ａ、３０ａ’の孔部３２にビス３１を挿通することで、外カバー４を側板６の外側に着脱自在に設けることが出来るようになっている。このように取付面３０ａ、３０ａ’が外カバー４の上下端部内面に当接可能に設けられていることにより外カバー４の内方への進入が規制されるので、取付時における外カバー４との接触によるガイド溝７の損傷が防止できる。
【００１２】
なお、本実施例における外カバー４の後端には内向きに屈曲する後面板４ａが連設されており、外カバー４を取付面３０ａ、３０ａ’に取り付けることにより、側板６、外カバー４、後面板４ａにより扉５の収納空間Ｓが側板６の外側に形成されるようになっている。
【００１３】
図３、５に示されるように、扉５の後端上下部には、ガイド溝７内を摺動可能に嵌合する第２ガイドローラ８が設けられている。また扉５の後端部は、上下にガイド溝７内を摺動自在なガイドローラ９、９を有する移動支柱１０に対して、２箇所の回動軸を有する２連蝶番１１を介して軸着されている。
【００１４】
移動支柱１０は、軸１２をもって互いにＸ字状に交差するように連結された第１・第２リンク１３、１４から構成されるＸ型リンク１５により、収納家具１の後部に連結されている。このＸ型リンク１５を構成する第１リンク１３の上端は、移動支柱１０の上端部に軸着されており、下端は、ローラ１７を介して側板６の内面６ａ後方下部に取り付けられた断面略Ｃ字状のガイド部材１６内を上下方向に摺動自在に案内されている。また、第２リンク１４は、上端が側板６の内面６ａ後方上部に軸着されており、下端は、ローラ１８を介して移動支柱１０の下部に取り付けられた断面略Ｃ字状のガイド部材１９内を上下方向に摺動自在に案内されている。尚、図３における２０はハンガーレールであり、特にＸ型リンク１５の組付時等において、移動支柱１０をガイドローラ２１を介して一時的に支承出来るようになっている。
【００１５】
このように上下端部がガイドローラ９を介してガイド溝７に案内された移動支柱１０は、Ｘ型リンク１５を介して側板６の後部と連結されていることにより、上下端部の前後方向の振れが規制されているとともに、前後方向に移動可能に設けられている。
【００１６】
なお、本実施例におけるＸ型リンク１５は、第１・第２リンク１３、１４の下端がそれぞれ移動支柱１０、及び側板６の下部のガイド部材１９、１７に上下方向に移動自在に案内されているため、移動支柱１０が後方に付勢されるようになっている。
【００１７】
ガイド溝７は、図４に示されるように、収納家具１の前方に形成される円弧型ガイド溝７ａと、その後端に直線状に連設される直線ガイド溝７ｂとから構成されている。円弧型ガイド溝７ａは、収納家具１の左右端部前部に、それぞれ互いに外向きに広がるように、また、図６（ａ）、（ｂ）に示されるように、第１ガイドローラ２４を中心とする円の円弧に近い形になるように形成されている。
【００１８】
図１、３、５に示されるように、側板６の前端面６ｂ上下所定箇所には、扉５の内面５ａ上下に取付部材２６を介して設けられる左右方向を向くガイドレール２３の凹部２３ａ内に摺動自在に嵌挿される第１ガイドローラ２４がそれぞれ取付金具２２を介して取り付けられている。上部のガイドレール２３は開口が上向きに、そして下部のガイドレール２３は開口下向きになるように、かつ扉５の内面５ａに着脱自在に取り付けられている。
【００１９】
第１ガイドローラ２４は、図５及び図６（ａ）に示されるように側板６と外カバー４との間に設けられており、扉５の外端部５ｂよりもやや内側位置にて扉５を回転可能に支持している。また、扉５が閉塞状態にあるとき、外カバー４の前端面４ｂの前方が扉５の外端部５ｂ及びその近傍により覆われるようになっているとともに、外カバー４の前端面４ｂは、側板６の前端面６ｂよりも後方位置に設けられ、閉塞状態にある扉５の内面５ａと外カバー４の前端面４ａとの間に所定隙間Ｌが形成されている。
【００２０】
また、図６（ａ）、（ｂ）〜図９（ａ）、（ｂ）に示されるようにガイドレール２３の所定箇所には、収納時において扉５を外カバー４に対して平行に向けるための屈曲部２５が形成されている。また、ガイドレール２３の後半部内面には、屈曲部２５により扉５の内面５ａとの間に形成される隙間を埋めるべきスペーサとしての当接片２９（図６（ａ）参照）が形成されている。
【００２１】
次にこのように構成された収納家具１における扉５の開閉操作時の作用を図６（ａ）、（ｂ）〜図９（ａ）、（ｂ）に基づいて説明していくと、まず図６（ａ）、（ｂ）には扉５により収納家具１の前面開口が閉塞されている状態が示されている。この時、図１にも示されるように、扉５の外端部５ｂにより外カバー４の前端面４ｂの前方は覆われて収納家具１の前面には露呈されず、また、本実施例においては扉５の内面５ａと外カバー４との間に形成される隙間Ｌも移動支柱１０により閉塞され、収納空間Ｓ内が見えなくなっているので、見栄えが良い。なお、この時扉５の上端部にある第２ガイドローラ８は、円弧型ガイド溝７ａの端部に位置している。
【００２２】
次に図７（ａ）に示されるように扉５を開放する場合、開放操作時において扉５は、外端部５ｂ近傍が第２ガイドローラ８を介して円弧型ガイド溝７ａに案内され、第１ガイドローラ２４を中心とする回動動作を主に行うことが許容されている状態にある。よってこの時扉５に対してＸ型リンク１５により側板６と外カバー４との間に形成される収納空間Ｓ内後方への付勢力が働いても、扉５が回動動作とともに後端が収納空間Ｓ内へ引き込まれることがほとんどない。また、この時扉５の後端部５ｂの裏面と外カバー４の前端面４ｂとの間に形成される隙間Ｌにより、扉５の後端部５ｂの回転が許容される。
【００２３】
そして図７（ａ）の位置まで扉５が回動した時点で、図７（ｂ）に示されるように第２ガイドローラ８が円弧型ガイド溝７ａと直線ガイド溝７ｂとの連設部に位置し、それ以上の回動動作が規制されるとともに、直線ガイド溝７ｂを介して後方への移動が許容されることになる。
【００２４】
次に扉５を収納空間Ｓ内に収納する場合、扉５は図８（ａ）の状態になると、Ｘ型リンク１５により収納方向に付勢されるため、使用者が強く押し込まなくとも収納空間Ｓ方向に自動的に移動される。この時扉５は後部が第２ガイドローラ８が直線ガイド溝７ｂに案内されるとともに、かつ前部がガイドレール２３を介して第１ガイドローラ２４により案内されることで前後部が進入方向に対して左右方向に振れることなく、また、前述のようにＸ型リンク１５に連結された移動支柱１０により、前後方向に傾斜したり、上下端部が進入方向に対して左右方向に振れることなく収納空間Ｓ内にスムーズに誘導される。
【００２５】
そして図８（ａ）、（ｂ）に示されるように、ガイドレール２３の屈曲部２５が第１ガイドローラ２４を通過する時点で、扉５が外カバー４及び側板６と略平行な状態になり、さらに図９（ａ）、（ｂ）に示されるような状態を維持したまま扉５を収納出来る。
【００２６】
このように本発明の実施例としての収納家具１にあっては、扉５の閉塞時における扉５の外端部５ｂの背面５ａと収納空間Ｓの外側の外カバー４の前端面４ｂとの間に隙間Ｌが形成されるように外カバー４が設けられているため、扉５が外端部５ｂより内側の第１ガイドローラ２４を中心に回動された時に扉５の外端部５ｂの回動が外カバー４の前端部４ｂにより規制されることがない。よって外カバー４を扉５の閉塞状態における扉５の外端部５ｂより内側に設けることが出来るので、収納家具１の前面に外カバー４の前端部４ｂが露呈せず、収納家具１前面からの見栄えが向上するとともに、収納空間Ｓをコンパクト化することが出来る。
【００２７】
以上、本発明の実施例を図面により説明してきたが、具体的な構成はこれら実施例に限られるものではなく、本発明の要旨を逸脱しない範囲における変更や追加があっても本発明に含まれる。
【００２８】
例えば、本実施例において扉５の閉塞状態にあっては、外カバー４の前端面４ｂの前方が、扉５の外端部により完全に覆われるようになっていたが、とくに前端面４ｂの前方が完全に覆われていなくても良く、収納空間Ｓ内が収納家具前面に露呈されなければよい。
【００２９】
【発明の効果】
本発明は次の効果を奏する。
【００３０】
（ａ）請求項１の発明によれば、扉を回動可能に支持する第１ガイドローラが扉の出入りを誘導案内しているため、一つの部材で２つの機能を果たすことができ、開口を開閉するために扉が回転するときに、扉の後端部が外カバーの先端面と当接せず、開口が扉により閉塞された状態においては、外カバーの外側端と扉の外端とが正面視ほぼ同一線上に位置することができるので、複数の収納家具を連続して配設した場合でも、正面のつらに形成される凹凸を無くすことができ、収納家具の前面からの見栄えを向上できる。
【００３２】
（ｂ）請求項２の発明によれば、扉の閉塞状態における収納家具側方からの見栄えが向上するとともに、扉の開口閉塞時や収納時において収納空間の前方部が常に扉もしくは扉支持部材により閉塞されるため、外カバーの外側端側から収納空間内に物や身体が挟まれることがなく、安全である。
【００３３】
（ｃ）請求項３の発明によれば、Ｘ型リンクにより扉が前後に傾くことなく、かつ前方または後方に向かって付勢されるため、収納移動操作がよりスムーズに行われる。
【００３４】
【図面の簡単な説明】
【図１】本発明の適用される収納家具の外観を示す使用状態斜視図である。
【図２】図１の収納家具の要部を示す分解斜視図である。
【図３】図１のＡ−Ａ断面図である。
【図４】図３のＢ−Ｂ断面図である。
【図５】図３のＣ−Ｃ断面図である。
【図６】（ａ）は図３のＤ−Ｄ断面図であり、（ｂ）は図３のＢ−Ｂ断面の一部を示す断面図である。
【図７】（ａ）は扉の作用を示す図であり、（ｂ）は（ａ）に対応する第２ガイドローラの作用を示す図である。
【図８】同じく（ａ）は扉の作用を示す図であり、（ｂ）は（ａ）に対応する第２ガイドローラの作用を示す図である。
【図９】同じく（ａ）は扉の作用を示す図であり、（ｂ）は（ａ）に対応する第２ガイドローラの作用を示す図である。
【符号の説明】
１          収納家具
２          天板
３          底板
４          外カバー（外側板）
４ｂ        前端面（前端部）
５          扉
５ａ        内面
５ｂ        外端部
６          側板
６ａ        内面
６ｂ        前端面
７          ガイド溝
７ａ        円弧型ガイド溝
７ｂ        直線ガイド部
８          第２ガイドローラ
９          ガイドローラ
１０          移動支柱
１１          ２連蝶番
１２          軸
１３          第１リンク
１４          第２リンク
１５          Ｘ型リンク
１６、１９    ガイド部材
１７、１８    ローラ
２０          ハンガーレール
２１          ハンガーローラ
２２          取付金具
２３          ガイドレール
２３ａ        凹部
２４          第１ガイドローラ
２５          屈曲部
２６          取付部材
２９          当接片
３０、３０’  レール部材
３１          ビス
３２、３３    孔部
Ｓ            収納空間
Ｌ            隙間
【図１】
0003691666.tif 000002
【図２】
0003691666.tif 000003
【図３】
0003691666.tif 000004
【図４】
0003691666.tif 000005
【図５】
0003691666.tif 000006
【図６】
0003691666.tif 000007
【図７】
0003691666.tif 000008
【図８】
0003691666.tif 000009
【図９】
0003691666.tif 000010